(57)【要約】【課題】本体が洗濯バサミの構造をし、柄の部分を摘むとハンガーのアーム部が閉じ、セーターなどの洗濯物に通したり、抜いたりする時に襟の部分を伸ばさなくても済むようにしたハンガーである。【解決手段】洗濯バサミ型の本体の基部（１）と（２）を支点（７）で回転自在に連結し、基部（１）と基部（２）のそれぞれのアーム部（５）と（６）は、横に並行した２本の杆からなる長いＵ字型の中空構造にし、支点（７）の下部近傍でそれぞれ反対側にくの字に折曲させ横に伸ばし、柄部（３）と（４）を摘むとアーム部（５）と（６）が閉じ、セーターなどの襟に通したり抜いたりしやすくなる。【選択図】図１
2005137870.tif 000002
【特許請求の範囲】
【請求項１】
本体は、洗濯バサミの構造をし、柄の部分を摘むとハンガーのアーム部が閉じ、セーターなどの洗濯物に通したり抜いたりする時に襟の部分を伸ばさなくても済み、摘むのをやめればアーム部が開き通常のハンガーの状態に復元するようにしたハンガーである。
【請求項２】
柄の部分を摘むとハンガーのアーム部が閉じながら折りたたまり、摘むのをやめればアー厶部が開きながら折りたたまった部分が復元する請求項１のハンガーである。
【請求項３】
柄の部分を摘むとハンガーのアーム部が閉じながら縮小し、摘むのをやめればアー厶部が開きながら伸びる請求項１のハンガーである。
【請求項４】
ハンガーのアーム部を横に並行した２本の杆からなる中空構造にすることにより、通気性を向上させた請求項１のハンガーである。
【請求項５】
バネの拡大を抑止することによって、懸架した洗濯物の重みでアーム部が閉じてしまうのを防止するストッパーを有した請求項１のハンガーである。
【請求項６】
懸架した洗濯物の重みでアーム部が閉じてしまうのを防止するため、フック式のストッパーを有した請求項１のハンガーである。
【請求項７】
懸架した洗濯物の重みでアーム部が閉じてしまうのを防止するため、洗濯物を懸架した時のハンガーの自重を利用したストッパーを有した請求項１のハンガーである。
【発明の詳細な説明】
【発明の詳細な説明】
【技術分野】
【０００１】この発明は、本体が洗濯バサミの構造をし、柄の部分を摘むとハンガーのアーム部が閉じ、かつ、その際にアーム部が伸縮したり折りたたまったりもして、セーターなどの洗濯物に通したり抜いたりする時に、襟の部分を伸ばさなくても済むようにしたハンガーで、又、アーム部が横に並行した２本の杆からなる中空構造により通気性を向上させ、更に、懸架した洗濯物の重量でアーム部が閉じてしまうのを防止するためのストッパーを有したハンガーである。
【背景技術】
【０００２】（イ）従来は、セーターなどの洗濯物にハンガーを通したり抜いたりする時に、襟を伸ばして広げていた。
（ロ）又、アーム部が横に幅広の場合、１本の杆による構造であったため、通気性が悪かった。
【発明が解決しようとする課題】
【０００３】これは、次のような欠点があった。
（イ）衣類の形を崩してしまう。
（ロ）衣類の乾きが悪い。
【課題を解決するための手段】
【０００４】（イ）請求項１と請求項４と請求項５を満たすハンガーについて
洗濯バサミ型の基部（１）と（２）、柄部（３）と（４）、更に、アーム部（５）と（６）からなる一対の本体をそれぞれ向かい合わせにして、支点（７）で回動自在に連結させ、バネ（１２）と（１３）により基部（１）と（２）を常時外側から圧着させ、更に、柄部（３）上部には干し竿等に吊るすためのフック部（８）を設ける。
アーム部（５）と（６）は、それぞれ横に並行した２本の杆からなる長いＵ字型の中空構造とし、通気性を向上させる。
柄部（３）と（４）には、それぞれ本件本体に洗濯物を懸架した時に、洗濯物の重量によりアーム部（５）と（６）が閉じてしまわないようにするためのストッパー（１４）と（１５）を設ける。
アーム部（５）と（６）は、それぞれ支点（７）を境にして、反対側の横方向にくの字に折曲しているため、ストッパー（１４）と（１５）を摘みながら、更に、柄部（３）と（４）を摘むことにより、アーム部（５）と（６）が閉じる構造となっている。
（ロ）請求項２と請求項４と請求項５を満たすハンガーについて
上記
【課題を解決するための手段】
（イ）記載の形状を基本構造とし、アーム部（５）と（６）を適宜長さで切断、このアーム部（５）と（６）の杆を挿入可能な中空構造を持つＵ字型の杆（５）’と（６）’に、それぞれアーム部（５）と（６）をスライド可能に挿入する。引っ張り棒（２２）と（２３）の両端を、それぞれ柄（３）と（４）の外側の支点（２４）、（２５）と杆（５）’と（６）’に横に設けられた支杆（２６）と（２７）に回動自在に連結する。
（ハ）請求項３と請求項４と請求項５を満たすハンガーについて
上記
【課題を解決するための手段】
（イ）記載の形状を基本構造とし、アーム部（５）と（６）を適宜長さで切断、このアーム部（５）と（６）をそれぞれＵ字型の形状の杆（５）”と（６）”と支点（３０）と（３１）で回転自在に連結する。引っ張り棒（２２）と（２３）の両端を、それぞれ柄（３）と（４）の外側の支点（２４）、（２５）と杆（５）”と（６）”の先端下部の支点（２８）と（２９）に回動自在に連結する。
（ニ）請求項１と請求項４と請求項６を満たすハンガーについて
上記
【課題を解決するための手段】
（イ）記載の形状を基本構造とし、ストッパーを次の通り変更する。
柄部（４）に外側にくの字に折曲したストッパー（３２）を支点（３５）で回動自在に連結し、ストッパー（３２）の下部先端にフック（３３）を、又、基部（１）の内側にフック（３４）を設け、更に柄部（４）とストッパー（３２）の間にバネ（３６）をバネ（１２）と（１３）より弱い弾力で装着する。常態でフック（３３）とフック（３４）を引っ掛からせることにより、本件本体に洗濯物を懸架した時に、洗濯物の重量によりアーム部（５）と（６）が閉じないようにしたものである。
（ホ）請求項２と請求項４と請求項６を満たすハンガーについて
上記
【課題を解決するための手段】
（ロ）記載の形状を基本構造とし、ストッパーを上記
【課題を解決するための手段】
（ニ）記載の形状に変更したもの。
（ヘ）請求項３と請求項４と請求項６を満たすハンガーについて
上記
【課題を解決するための手段】
（ハ）記載の形状を基本構造とし、ストッパーを上記
【課題を解決するための手段】
（ニ）記載の形状に変更したもの。
（ト）請求項１と請求項４と請求項７を満たすハンガーについて
上記
【課題を解決するための手段】
（イ）記載の形状を基本構造とし、基部とフック部と連結支点とストッパーを次の通り変更する。
基部（１）と（２）、柄部（３）と（４）を直線的につなげ、基部（１）と（２）それぞれの内側に連結板（３７）と（３８）を設置し、連結板（３７）と（３８）とを支点（７）により回動自在に連結する。
連結板（３７）と（３８）の間に上方から穴（３９）を設け、その穴（３９）にフッック部（８）を上下移動可能に挿通させ、フック部（８）の下部先端に適宜長さの紐（４０）と（４１）を付け、紐（４０）と（４１）のそれぞれの他端を基部（１）と（２）の内側に固定する。これにより、フック部（８）を物干し竿等に引っ掛けることにより、本件本体に懸架した洗濯物の重量により紐（４０）と（４１）が引っ張られ、基部（１）と（２）が内側に引っ張られ、アーム部（５）と（６）が閉じないようにしたものである。
（チ）請求項２と請求項４と請求項７を満たすハンガーについて
上記
【課題を解決するための手段】
（ロ）記載の形状を基本構造とし、ストッパー等一部構造を上記
【課題を解決するための手段】
（ト）記載の形状に変更したもの。
（リ）請求項３と請求項４と請求項７を満たすハンガーについて
上記
【課題を解決するための手段】
（ハ）記載の形状を基本構造とし、ストッパー等一部構造を上記
【課題を解決するための手段】
（ト）記載の形状に変更したもの。
本発明は、以上のような構成からなるハンガーに関するものである。
【発明を実施するための最良の形態】
【０００５】以下、本発明の実施の形態について説明する。
（イ）請求項１と請求項４と請求項５を満たすハンガーについて
Ａ．洗濯バサミ型の本体の基部（１）と（２）を支点（７）で回転自在に連結し、基部（１）と基部（２）のそれぞれのアーム部（５）と（６）は、横に並行した２本の杆からなる長いＵ字型の中空構造にし、支点（７）の下部近傍でそれぞれ反対側にくの字に折曲させ横に伸ばす。尚、アーム部（５）の２本の杆は、アーム部（６）の２本の杆が作る開口部（９）に挿通可能な幅とする。
Ｂ．基部（１）と基部（２）の上部は、それぞれ外側にくの字に折曲させた柄部（３）と（４）を設け、更に、柄部（３）上部に干し竿等に吊るすためのフック部（８）を設ける。柄部（３）と（４）にそれぞれ開口部（１０）（１０）’と（１１）（１１）’を設け、基部（１）と（２）を外側から圧着するためのバネ（１２）と（１３）を基部（１）と（２）に固定装着する。
Ｃ．柄部（３）と（４）には本件本体に洗濯物を懸架した時に、洗濯物の重量でアーム部（５）と（６）が閉じてしまうのを防ぐため、次のようなストッパーを設置する。
柄部（３）と（４）に、それぞれ外側にくの字に折曲したストッパー（１４）と（１５）を支点（１６）と（１７）に回動自在に連結し、ストッパー（１４）と（１５）の下部先端の柄部側に、開口部（１０）（１０）’と（１１）（１１）’の上縁部とバネ（１２）と（１３）とが作る隙間に容易に圧入可能な係止爪（１８）（１８）’と（１９）（１９）’を設け、更に、ストッパー（１４）と（１５）と柄部（３）と（４）との間に、係止爪（１８）（１８）’と（１９）（１９）’を常時圧入させるためのバネ（２０）と（２１）をバネ（１２）と（１３）より弱い弾力で装着する。
係止爪（１８）（１８）’と（１９）（１９）’が圧入されていることにより、バネ（１２）と（１３）が拡大するのを抑止し、アーム部（５）と（６）が懸架した洗濯物の重量で閉じるのを防ぐものである。
Ｄ．セーターなどの襟に通したり抜いたりする時は、まず、ストッパー（１４）と（１５）を摘みロックを解除し、更に、柄部（３）と（４）を摘んでアーム部（５）と（６）を閉じて行なう。
Ｅ．又、ストッパー（１４）と（１５）、並びに柄部（３）と（４）を摘むのをやめると、バネ（１２）と（１３）により元に戻る。
（ロ）請求項２と請求項４と請求項５を満たすハンガーについて
Ａ．上記
【発明を実施するための最良の形態】（イ）記載の形状を基本構造とし、アーム部（５）と（６）を適宜長さで切断、このアーム部（５）と（６）の杆を挿入可能な中空構造を持つＵ字型の杆（５）’と（６）’に、それぞれアーム部（５）と（６）をスライド可能に挿入する。引っ張り棒（２２）と（２３）の両端を、それぞれ柄（３）と（４）の外側の支点（２４）、（２５）と杆（５）’と（６）’に横に設けられた支杆（２６）と（２７）に回動自在に連結する。
Ｂ．ストッパー（１４）と（１５）を摘みロックを解除し、柄部（３）と（４）を摘み支点（２４）と（２５）が上方に移動することにより、支点（２４）と（２５）に連結している引っ張り棒（２２）と（２３）が引っ張られ、杆（５）’と（６）’が縮まり、更に、アーム部（５）と（６）が閉じて、セーターなどの襟に通したり抜いたりすることが容易になる。
（ハ）請求項３と請求項４と請求項５を満たすハンガーについて
Ａ．上記
【発明を実施するための最良の形態】（イ）記載の形状を基本構造とし、アーム部（５）と（６）を適宜長さで切断、このアーム部（５）と（６）をそれぞれＵ字型の形状の杆（５）”と（６）”と支点（３０）と（３１）で回転自在に連結する。引っ張り棒（２２）と（２３）の両端を、それぞれ柄（３）と（４）の外側の支点（２４）、（２５）と杆（５）”と（６）”の先端下部の支点（２８）と（２９）に回動自在に連結する。
Ｂ．ストッパー（１４）と（１５）を摘みロックを解除し、柄部（３）と（４）を摘み支点（２４）と（２５）が上方に移動することにより、支点（２４）と（２５）に連結している引っ張り棒（２２）と（２３）が引っ張られ、更に支点（３０）と（３１）で回動自在に連結しているのを利用して、引っ張り棒（２２）と（２３）の他端が連結している支点（２８）と（２９）が内側に引っ張られることにより、杆（５）”と（６”が内側に閉じ、又更にアーム部（５）と（６）が閉じて、セーターなどの襟に通したり抜いたりすることが容易になる。
（ニ）請求項１と請求項４と請求項６を満たすハンガーについて
Ａ．上記
【発明を実施するための最良の形態】（イ）記載の形状を基本構造とし、ストッパーを次の通り変更する。
柄部（４）に外側にくの字に折曲したストッパー（３２）を支点（３５）で回動自在に連結し、ストッパー（３２）の下部先端にフック（３３）を、又、基部（１）の内側にフック（３４）を設け、更に柄部（４）とストッパー（３２）の間にバネ（３６）をバネ（１２）と（１３）より弱い弾力で装着する。常態でフック（３３）とフック（３４）を引っ掛からせることにより、本件本体に洗濯物を懸架した時に、洗濯物の重量によりアーム部（５）と（６）が閉じないようにしたものである。
Ｂ．セーターなどの襟に通したり抜いたりする時は、まず、ストッパー（３２）を摘みロックを解除し、更に、柄部（３）と（４）を摘んでアーム部（５）と（６）を閉じて行なう。
（ホ）請求項２と請求項４と請求項６を満たすハンガーについて
上記
【発明を実施するための最良の形態】（ロ）記載の形状を基本構造とし、ストッパーを上記
【発明を実施するための最良の形態】（ニ）記載の形状に変更したもの。尚、引っ張り棒（２３）を柄部（４）に連結するため、ストッパー（３２
を二股に分けるなどの手当てが必要となる。
（ヘ）請求項３と請求項４と請求項６を満たすハンガーについて
上記
【発明を実施するための最良の形態】（ハ）記載の形状を基本構造とし、ストッパーを上記
【発明を実施するための最良の形態】（ニ）記載の形状に変更したもの。尚、引っ張り棒（２３）を柄部（４）に連結するため、ストッパー（３２）を二股に分けるなどの手当てが必要となる。
（ト）請求項１と請求項４と請求項７を満たすハンガーについて
Ａ．上記
【発明を実施するための最良の形態】（イ）記載の形状を基本構造とし、基部とフック部と連結支点とストッパーを次の通り変更する。
基部（１）と（２）、柄部（３）と（４）を直線的につなげ、基部（１）と（２）それぞれの内側に連結板（３７）と（３８）を設置し、連結板（３７）と（３８）とを支点（７）により回動自在に連結する。
連結板（３７）と（３８）の間に上方から穴（３９）を設け、その穴（３９）にフッック部（８）を上下移動可能に挿通させ、フック部（８）の下部先端に適宜長さの紐（４０）と（４１）を付け、紐（４０）と（４１）のそれぞれの他端を基部（１）と（２）の内側に固定する。これにより、フック部（８）を物干し竿等に引っ掛けることにより、本件本体に懸架した洗濯物の重量により紐（４０）と（４１）が引っ張られ、基部（１）と（２）が内側に引っ張られ、アー厶部（５）と（６）が閉じないようにしたものである。
Ｂ、セーターなどの襟に通したり抜いたりする時は、フック部（８）を物干し竿等に掛けていない状態であれば、紐（４０）と（４１）が緩んでいることから、柄部（３）と（４）を摘んでアーム部（５）と（６）を閉じて行なう。
（チ）請求項２と請求項４と請求項７を満たすハンガーについて
上記
【発明を実施するための最良の形態】（ロ）記載の形状を基本構造とし、ストッパー等一部構造を上記
【発明を実施するための最良の形態】（ト）記載の形状に変更したもの。
（リ）請求項３と請求項４と請求項７を満たすハンガーについて
上記
【発明を実施するための最良の形態】（ハ）記載の形状を基本構造とし、ストッパー等一部構造を上記
【発明を実施するための最良の形態】（ト）記載の形状に変更したもの。
【発明の効果】
【０００６】（イ）セーターなどの洗濯物にハンガーを通したり抜いたりする時に、襟を伸ばす必要がなくなり、衣類の型崩れを防止することができる。
（ロ）通気性の向上を図り、洗濯物の乾燥効率を上げる。
（ハ）本件ハンガーの構造上、洗濯物を懸架した時に、洗濯物の重量でアーム部が閉じてしまうのを防止する。
【図面の簡単な説明】
【図１】  請求項１と請求項４と請求項５を満たすハンガーの斜視図である。
【図２】  請求項１と請求項４と請求項５を満たすハンガーを閉じた時の正面図である。
【図３】  請求項２と請求項４と請求項５を満たすハンガーの斜視図である。
【図４】  請求項２と請求項４と請求項５を満たすハンガーを閉じた時の正面図である。
【図５】  請求項３と請求項４と請求項５を満たすハンガーの斜視図である。
【図６】  請求項３と請求項４と請求項５を満たすハンガーを閉じた時の正面図である。
【図７】  請求項１と請求項４と請求項６を満たすハンガーの斜視図である。
【図８】  請求項１と請求項４と請求項６を満たすハンガーを閉じた時の正面図である。
【図９】  請求項１と請求項４と請求項７を満たすハンガーの斜視図である。
【図１０】請求項１と請求項４と請求項７を満たすハンガーを閉じた時の正面図である。
【符号の説明】
１基部
２基部
３柄部
４柄部
５アーム部
５’杆
５”杆
６アーム部
６’杆
６”杆
７支点
８フック部
９開口部
１０開口部
１０’開口部
１１開口部
１１’開口部
１２バネ
１３バネ
１４ストッパー
１５ストッパー
１６支点
１７支点
１８係止爪
１８’係止爪
１９係止爪
１９’係止爪
２０バネ
２１バネ
２２引っ張り棒
２３引っ張り棒
２４支点
２５支点
２６支杆
２７支杆
２８支点
２９支点
３０支点
３１支点
３２ストッパー
３３フック
３４フック
３５支点
３６バネ
３７連結板
３８連結板
３９穴
４０紐
４１紐
【図１】
2005137870.tif 000003
【図２】
2005137870.tif 000004
【図３】
2005137870.tif 000005
【図４】
2005137870.tif 000006
【図５】
2005137870.tif 000007
【図６】
2005137870.tif 000008
【図７】
2005137870.tif 000009
【図８】
2005137870.tif 000010
【図９】
2005137870.tif 000011
【図１０】
2005137870.tif 000012